(57)【要約】【課題】  祭壇に載置される筐体に気泡管とマイナスイオン発生モジュールとを内装して接続し、さわやかな気分で、故人の冥福と成仏を祈ることができる葬祭用灯明具を提供する。【解決手段】  筐体１に気泡管２とマイナスイオン発生モジュール３とを内装し、気泡管２に気泡を発生させる光源としての電球６とマイナスイオン発生モジュール３とを交流電源にスイッチ４を介して接続し、スイッチ４を入れることにより、気泡とマイナスイオンが同時に発生するように構成した。【選択図】  図５
2005066201.tif 000002
【特許請求の範囲】
【請求項１】
筐体に気泡管とマイナスイオン発生モジュールとを内装し、気泡管は交流電源に直接接続された光源としての電球を介して気泡が発生されるように構成され、マイナスイオン発生モジュールは交流電源にスイッチを介して接続された高電圧発生ユニットの出力端子側に設けた放電針と、該放電針の先端側に対設したマイナスイオン集電板と高電圧発生ユニットの基準端子間にダイオードとコンデンサを直列に接続して構成され、高電圧発生ユニットの入力側にコンデンサとパイロットランプを並列に接続し、筐体の正面壁には気泡管の透視窓とマイナスイオンの放出口とパイロットランプの表識窓が形成されていることを特徴とするマイナスイオン発生機能を備えた葬祭用灯明具。
【請求項２】
筐体に気泡管とマイナスイオン発生モジュールとを内装し、気泡管に気泡を発生させる光源としての電球とマイナスイオン発生モジュールとを交流電源にスイッチを介して接続し、マイナスイオン発生モジュールは、高電圧発生ユニットの出力端子側に設けた放電針と、該放電針の先端側に対設したマイナスイオン集電板と高電圧発生ユニットの基準端子間にダイオードとコンデンサを直列に接続して構成され、高電圧発生ユニットの入力側にコンデンサと気泡管に気泡を発生させる光源としての電球を並列に接続し、筐体の正面壁には気泡管の透視窓とマイナスイオンの放出口が形成されていることを特徴とするマイナスイオン発生機能を備えた葬祭用灯明具。
【発明の詳細な説明】
【技術分野】
【０００１】
本発明は、マイナスイオン発生機構を備えた葬祭用灯明具に係り、詳しくは、筐体に気泡管とマイナスイオン発生モジュールとを内装して接続し、筐体の正面壁に気泡管の透視窓とマイナスイオンの放出口、更にパイロットランプの表識窓を形成し、気泡管の管内に発生しながら去来する気泡を見る人に、人の世の儚さを誘い、在りし日の故人の面影を偲ばせると共に、放出口から吐出されるマイナスイオンの抗菌消臭作用により空気の浄化を図り、もって、さわやかな気分で故人の冥福と成仏を祈ることができるマイナスイオン発生機構を備えた葬祭用灯明具に関するものである。
【背景技術】
【０００２】
葬儀や法要を営む際、死者の霊前に線香や燭火を捧げるとともに、物や花、各種の灯明具を供えて、死後の幸福を祈ることは、古くから慣例として行われている。
【０００３】
ところが、従来の灯明具には、火袋による照明を主体として構成されているもの、あるいは反射片を封入した光彩管や気泡を発生させる気泡管を主体として構成されているものであって、マイナスイオンを発生させる機構を備えた灯明具は皆無である。
【特許文献１】特開平３−４０３０４
【特許文献２】特開２００１−２２４４８７
【特許文献３】特開２００１−２２５５９６
【０００４】
上記特許文献１および２に記載のものは、気泡管に反射片を封入して光彩管を構成し、あるいは気泡管の背面に反射板を装着することにより、光の変化を無限に演出して、祭壇の雰囲気に適合した宗教的な光彩効果を発揮するようにしたものであり、また、特許文献３に記載のものは、火袋に電球を点灯して、特異な照明効果を発揮するようにしたものであって、マイナスイオンを発生させるようにしたものではない。
【０００５】
そのため、特に家庭で営まれる葬儀や通夜などでは、線香の煙や燭火の炎から排出する一酸化炭素、遺族や縁者などの喫煙から排出するニコチンやタールなどにより室内の空気が汚染されるという不具合があり、さわやかな気分で故人の冥福と成仏を祈ることができなかった。しかし、人生終焉の厳かなセレモニーという特別の環境下では、かかる不具合を甘受せざるを得ない実情があった。
【発明の開示】
【発明が解決しようとする課題】
【０００６】
本発明は、上記のような実情に鑑み、全く新しい構想に基づいて創案されたものであって、その意図するところは、マイナスイオンに抗菌、消臭作用のあることに着目して、灯明具としての気泡管とマイナスイオン発生モジュールとを筐体に内装して接続すると共に、筐体の正面壁に気泡管の透視窓とマイナスイオンの放出口、更にはパイロットランプの表識窓を形成したことにより、気泡管の管内で発生しながら去来する気泡を見る人に、人の世の儚さを誘い、在りし日の故人の面影を偲ばせるとともに、放出口から吐出されるマイナスイオンにより、空気の浄化を図り、もって、さわやかな気分で故人の冥福と成仏を祈り、供養の心情を十分に満たすことができるマイナスイオン発生機構を備えた葬祭用灯明具を提供することを課題とするものである。
【課題を解決するための手段】
【０００７】
上記課題を解決するため、本発明が採用した第１の技術的手段は、筐体に気泡管とマイナスイオン発生モジュールとを内装し、気泡管は交流電源に直接接続された光源としての電球を介して気泡が発生されるように構成され、マイナスイオン発生モジュールは交流電源にスイッチを介して接続された高電圧発生ユニットの出力端子側に設けた放電針と、該放電針の先端側に対設したマイナスイオン集電板と高電圧発生ユニットの基準端子間にダイオードとコンデンサを直列に接続して構成され、高電圧発生ユニットの入力側にコンデンサとパイロットランプを並列に接続し、筐体の正面壁には気泡管の透視窓とマイナスイオンの放出口とパイロットランプの表識窓が形成されていることを特徴とするものである。
【０００８】
本発明が採用した第２の技術的手段は、筐体に気泡管とマイナスイオン発生モジュールとを内装し、気泡管に気泡を発生させる光源としての電球とマイナスイオン発生モジュールとを交流電源にスイッチを介して接続し、マイナスイオン発生モジュールは、高電圧発生ユニットの出力端子側に設けた放電針と、該放電針の先端側に対設したマイナスイオン集電板と高電圧発生ユニットの基準端子間にダイオードとコンデンサを直列に接続して構成され、高電圧発生ユニットの入力側にコンデンサと気泡管に気泡を発生させる光源としての電球を並列に接続し、筐体の正面壁には気泡管の透視窓とマイナスイオンの放出口が形成されていることを特徴とするものである。
【発明の効果】
【０００９】
したがって、本発明の第１の技術手段によれば、図示しないプラグを交流電源のコンセントに接続すると、先ず気泡管から気泡が発生する状態となり、次いでスイッチを入れると、パイロットランプが点灯してマイナスイオン発生モジュールからマイナスイオンが放出口から吐出される。
【００１０】
また、第２の技術手段によれば、プラグを交流電源のコンセントに接続した後、スイッチを入れると、気泡管から気泡が発生すると同時に、マイナスイオン発生モジュールからマイナスイオンが放出口から吐出される。
【００１１】
叙上のことから、もともとマイナスイオンは、空気中に含まれる僅かな電気を帯びた物質（原子、分子、分子集団）で、かつ目には見えず、肌で感じることもできないものであるが、第１の技術手段を採用した場合には、パイロットランプが点灯している間、第２の技術手段を採用した場合には、気泡管から気泡が発生している間は、マイナスイオンが放出口から吐出して空気の浄化作用を行っていることが確認できる。
【００１２】
そのうえ、透視窓から見える気泡の去来が幻想的な雰囲気を醸し出し、人生終焉の厳かなセレモニーを演出するので、これを見る人々に、故人の冥福と成仏を願う心情を誘発させ、さわやかな気分と相俟って、供養に対する満足感を与えることができる。
【００１３】
なお、第２の技術手段を採用した場合には、パイロットランプが不用となるので、部品点数を少なくすることができ、より一層コンパクトに灯明具を構成することができる。
【発明を実施するための最良の形態】
【００１４】
筐体に気泡管とマイナスイオン発生モジュールとを内装して接続し、筐体の正面壁に気泡管の透視窓とマイナスイオンの放出口、更にはパイロットランプの表識窓を形成し、さわやかな気分で供養ができるマイナスイオン発生機構を備えた葬祭用灯明具を実現した。
【実施例１】
【００１５】
図１は本発明の第１実施例を示す斜視図、図２は同上内部構造を示す背面図、図３は同上回路図である。
【００１６】
上記図において、１は気泡管２およびマイナスイオン発生モジュール３を内装した筐体であって、該筐体１の正面壁１ａには気泡管２の透視窓２ａおよびマイナスイオン発生モジュール３のマイナスイオン放出口３ａが形成されている。そして、上記放出口３ａの上方部位にはマイナスイオン発生モジュール３の作動スイッチ（押釦式）４とパイロットランプ５が表識窓５ａから露出した状態で並列状に配設されている。なお、筐体１の形状は、図示のものに限定されるものではなく、敬虔な宗教的なイメージが表れるような形状にすることが好ましい。
【００１７】
気泡管２は筐体１の正面壁１ａに形成した透視窓２ａに臨ませて内装されており、具体的には、比較的口径の大きい円筒状管体２ｂの底部を中空方向へ膨出させて球面状底部２ｃが形成され、内部に塩素系有機溶剤からなる低沸点液体を充填して封入されている。
【００１８】
気泡管２の底部２ｃの直下には光源としての電球６が交流電源に直接接続されて配設されており、該電球６を発光させると、気泡が底部２ｃの全周間から発生すると共に、電球６の光が透過することによって、気泡のライトアップができるうえ、発生した気泡が上昇しながら去来するため、幻想的な雰囲気を醸し出して、人生終焉の厳かなセレモニーを演出することができる。
【００１９】
マイナスイオン発生モジュール３は、交流電源にスイッチ４を介して接続された高電圧発生ユニット３ｂの出力端子３ｃ側に設けた放電針３ｄと、該放電針３ｄの先端側に対設したマイナスイオン集電板３ｅと高電圧発生ユニット３ｂの基準端子３ｆとの間にダイオード３ｇ、コンデンサ３ｈを直列に接続して構成されている。なお、上記高電圧発生ユニット３ｂの入力側にはコンデンサ７とパイロットランプ５が並列接続されている。したがって、スイッチ４を入れると、パイロットランプ５が点灯し、放出口３ａからマイナスイオンが吐出される。そして、パイロットランプ５が点灯している間は、マイナスイオン発生モジュール３からマイナスイオンが発生していることを外部から確認できるようになっている。
【実施例２】
【００２０】
図４は本発明の第２実施例を示す斜視図、図５は同上内部構造を示す背面図、図６は同上回路図である。
【００２１】
ところで、第２実施例のものは、筐体１に気泡管２とマイナスイオン発生モジュール３とを内装し、気泡管２に気泡を発生させる光源としての電球６とマイナスイオン発生モジュール３とを交流電源にスイッチ４を介して接続した点に特徴を有するものであり、したがって、スイッチ４を入れると、気泡管２から気泡が発生すると同時に、周囲に花模様Ａをあしらった編目状をなす放出口３ａから、マイナスイオン発生モジュール３のマイナスイオンが吐出される。
【００２２】
その結果、気泡管２に気泡が発生している間は、マイナスイオンが発生して空気の浄化作用が行われていることを確認できると共に、去来する気泡を見る人に、在りし日の故人の面影を偲ばせ、さわやかな気分で故人の冥福と成仏を祈り、供養の心情を満たすことができる点では、第１実施例の場合と差異はない。
【産業上の利用可能性】
【００２３】
筐体１を室内装飾品に適する形状に形成すれば、室内の空気を浄化する置物として利用できる。
【図面の簡単な説明】
【００２４】
【図１】第１実施例の斜視図である。
【図２】第１実施例の内部構造を示す背面図である。
【図３】第１実施例の回路図である。
【図４】第２実施例の斜視図である。
【図５】第２実施例の内部構造を示す背面図である。
【図６】第２実施例の回路図である。
【符号の説明】
【００２５】
１      筐体
１ａ    正面壁
２      気泡管
２ａ    透視窓
３      マイナスイオン発生モジュール
３ａ    放出口
３ｂ    高電圧発生ユニット
３ｃ    出力端子
３ｄ    放電針
３ｅ    集電板
３ｆ    基準端子
３ｇ    ダイオード
３ｈ    コンデンサ
４      スイッチ
５      パイロットランプ
５ａ    表識窓
６      光源としての電球
７      コンデンサ
【図１】
2005066201.tif 000003
【図２】
2005066201.tif 000004
【図３】
2005066201.tif 000005
【図４】
2005066201.tif 000006
【図５】
2005066201.tif 000007
【図６】
2005066201.tif 000008
【手続補正書】
【提出日】平成15年8月29日(2003.8.29)
【手続補正１】
【補正対象書類名】明細書
【補正対象項目名】全文
【補正方法】変更
【補正の内容】
【発明の詳細な説明】
【技術分野】
【０００１】
本発明は、マイナスイオン発生機能を備えた葬祭用灯明具に係り、詳しくは、筐体に気泡管とマイナスイオン発生モジュールとを内装して接続し、筐体の正面壁に気泡管の透視窓とマイナスイオンの放出口、更にパイロットランプの表識窓を形成し、気泡管の管内に発生しながら去来する気泡を見る人に、人の世の儚さを誘い、在りし日の故人の面影を偲ばせると共に、放出口から吐出されるマイナスイオンの抗菌消臭作用により空気の浄化を図り、もって、さわやかな気分で故人の冥福と成仏を祈ることができるマイナスイオン発生機能を備えた葬祭用灯明具に関するものである。
【背景技術】
【０００２】
葬儀や法要を営む際、死者の霊前に線香や燭火を捧げるとともに、物や花、各種の灯明具を供えて、死後の幸福を祈ることは、古くから慣例として行われている。
【０００３】
ところが、従来の灯明具には、火袋による照明を主体として構成されているもの、あるいは反射片を封入した光彩管や気泡を発生させる気泡管を主体として構成されているものであって、マイナスイオンを発生させる機能を備えた灯明具は皆無である。
【特許文献１】特開平３−４０３０４
【特許文献２】特開２００１−２２４４８７
【特許文献３】特開２００１−２２５５９６
【０００４】
上記特許文献１および２に記載のものは、気泡管に反射片を封入して光彩管を構成し、あるいは気泡管の背面に反射板を装着することにより、光の変化を無限に演出して、祭壇の雰囲気に適合した宗教的な光彩効果を発揮するようにしたものであり、また、特許文献３に記載のものは、火袋に電球を点灯して、特異な照明効果を発揮するようにしたものであって、マイナスイオンを発生させるようにしたものではない。
【０００５】
そのため、特に家庭で営まれる葬儀や通夜などでは、線香の煙や燭火の炎から排出する一酸化炭素、遺族や縁者などの喫煙から排出するニコチンやタールなどにより室内の空気が汚染されるという不具合があり、さわやかな気分で故人の冥福と成仏を祈ることができなかった。しかし、人生終焉の厳かなセレモニーという特別の環境下では、かかる不具合を甘受せざるを得ない実情があった。
【発明の開示】
【発明が解決しようとする課題】
【０００６】
本発明は、上記のような実情に鑑み、全く新しい構想に基づいて創案されたものであって、その意図するところは、マイナスイオンに抗菌、消臭作用のあることに着目して、灯明具としての気泡管とマイナスイオン発生モジュールとを筐体に内装して接続すると共に、筐体の正面壁に気泡管の透視窓とマイナスイオンの放出口、更にはパイロットランプの表識窓を形成したことにより、気泡管の管内で発生しながら去来する気泡を見る人に、人の世の儚さを誘い、在りし日の故人の面影を偲ばせるとともに、放出口から吐出されるマイナスイオンにより、空気の浄化を図り、もって、さわやかな気分で故人の冥福と成仏を祈り、供養の心情を十分に満たすことができるマイナスイオン発生機能を備えた葬祭用灯明具を提供することを課題とするものである。
【課題を解決するための手段】
【０００７】
上記課題を解決するため、本発明が採用した第１の技術的手段は、筐体に気泡管とマイナスイオン発生モジュールとを内装し、気泡管は交流電源に直接接続された光源としての電球を介して気泡が発生されるように構成され、マイナスイオン発生モジュールは交流電源にスイッチを介して接続された高電圧発生ユニットの出力端子側に設けた放電針と、該放電針の先端側に対設したマイナスイオン集電板と高電圧発生ユニットの基準端子間にダイオードとコンデンサを直列に接続して構成され、高電圧発生ユニットの入力側にコンデンサとパイロットランプを並列に接続し、筐体の正面壁には気泡管の透視窓とマイナスイオンの放出口とパイロットランプの表識窓が形成されていることを特徴とするものである。
【０００８】
本発明が採用した第２の技術的手段は、筐体に気泡管とマイナスイオン発生モジュールとを内装し、気泡管に気泡を発生させる光源としての電球とマイナスイオン発生モジュールとを交流電源にスイッチを介して接続し、マイナスイオン発生モジュールは、高電圧発生ユニットの出力端子側に設けた放電針と、該放電針の先端側に対設したマイナスイオン集電板と高電圧発生ユニットの基準端子間にダイオードとコンデンサを直列に接続して構成され、高電圧発生ユニットの入力側にコンデンサと気泡管に気泡を発生させる光源としての電球を並列に接続し、筐体の正面壁には気泡管の透視窓とマイナスイオンの放出口が形成されていることを特徴とするものである。
【発明の効果】
【０００９】
したがって、本発明の第１の技術手段によれば、図示しないプラグを交流電源のコンセントに接続すると、先ず気泡管から気泡が発生する状態となり、次いでスイッチを入れると、パイロットランプが点灯してマイナスイオン発生モジュールからマイナスイオンが放出口から吐出される。
【００１０】
また、第２の技術手段によれば、プラグを交流電源のコンセントに接続した後、スイッチを入れると、気泡管から気泡が発生すると同時に、マイナスイオン発生モジュールからマイナスイオンが放出口から吐出される。
【００１１】
叙上のことから、もともとマイナスイオンは、空気中に含まれる僅かな電気を帯びた物質（原子、分子、分子集団）で、かつ目には見えず、肌で感じることもできないものであるが、第１の技術手段を採用した場合には、パイロットランプが点灯している間、第２の技術手段を採用した場合には、気泡管から気泡が発生している間は、マイナスイオンが放出口から吐出して空気の浄化作用を行っていることが確認できる。
【００１２】
そのうえ、透視窓から見える気泡の去来が幻想的な雰囲気を醸し出し、人生終焉の厳かなセレモニーを演出するので、これを見る人々に、故人の冥福と成仏を願う心情を誘発させ、さわやかな気分と相俟って、供養に対する満足感を与えることができる。
【００１３】
なお、第２の技術手段を採用した場合には、パイロットランプが不用となるので、部品点数を少なくすることができ、より一層コンパクトに灯明具を構成することができる。
【発明を実施するための最良の形態】
【００１４】
筐体に気泡管とマイナスイオン発生モジュールとを内装して接続し、筐体の正面壁に気泡管の透視窓とマイナスイオンの放出口、更にはパイロットランプの表識窓を形成し、さわやかな気分で供養ができるマイナスイオン発生機能を備えた葬祭用灯明具を実現した。
【実施例１】
【００１５】
図１は本発明の第１実施例を示す斜視図、図２は同上内部構造を示す背面図、図３は同上回路図である。
【００１６】
上記図において、１は気泡管２およびマイナスイオン発生モジュール３を内装した筐体であって、該筐体１の正面壁１ａには気泡管２の透視窓２ａおよびマイナスイオン発生モジュール３のマイナスイオン放出口３ａが形成されている。そして、上記放出口３ａの上方部位にはマイナスイオン発生モジュール３の作動スイッチ（押釦式）４とパイロットランプ５が表識窓５ａから露出した状態で並列状に配設されている。なお、筐体１の形状は、図示のものに限定されるものではなく、敬虔な宗教的なイメージが表れるような形状にすることが好ましい。
【００１７】
気泡管２は筐体１の正面壁１ａに形成した透視窓２ａに臨ませて内装されており、具体的には、比較的口径の大きい円筒状管体２ｂの底部を中空方向へ膨出させて球面状底部２ｃが形成され、内部に塩素系有機溶剤からなる低沸点液体を充填して封入されている。
【００１８】
気泡管２の底部２ｃの直下には光源としての電球６が交流電源に直接接続されて配設されており、該電球６を発光させると、気泡が底部２ｃの全周間から発生すると共に、電球６の光が透過することによって、気泡のライトアップができるうえ、発生した気泡が上昇しながら去来するため、幻想的な雰囲気を醸し出して、人生終焉の厳かなセレモニーを演出することができる。
【００１９】
マイナスイオン発生モジュール３は、交流電源にスイッチ４を介して接続された高電圧発生ユニット３ｂの出力端子３ｃ側に設けた放電針３ｄと、該放電針３ｄの先端側に対設したマイナスイオン集電板３ｅと高電圧発生ユニット３ｂの基準端子３ｆとの間にダイオード３ｇ、コンデンサ３ｈを直列に接続して構成されている。なお、上記高電圧発生ユニット３ｂの入力側にはコンデンサ７とパイロットランプ５が並列接続されている。したがって、スイッチ４を入れると、パイロットランプ５が点灯し、放出口３ａからマイナスイオンが吐出される。そして、パイロットランプ５が点灯している間は、マイナスイオン発生モジュール３からマイナスイオンが発生していることを外部から確認できるようになっている。
【実施例２】
【００２０】
図４は本発明の第２実施例を示す斜視図、図５は同上内部構造を示す背面図、図６は同上回路図である。
【００２１】
ところで、第２実施例のものは、筐体１に気泡管２とマイナスイオン発生モジュール３とを内装し、気泡管２に気泡を発生させる光源としての電球６とマイナスイオン発生モジュール３とを交流電源にスイッチ４を介して接続した点に特徴を有するものであり、したがって、スイッチ４を入れると、気泡管２から気泡が発生すると同時に、周囲に花模様Ａをあしらった編目状をなす放出口３ａから、マイナスイオン発生モジュール３のマイナスイオンが吐出される。
【００２２】
その結果、気泡管２に気泡が発生している間は、マイナスイオンが発生して空気の浄化作用が行われていることを確認できると共に、去来する気泡を見る人に、在りし日の故人の面影を偲ばせ、さわやかな気分で故人の冥福と成仏を祈り、供養の心情を満たすことができる点では、第１実施例の場合と差異はない。
【産業上の利用可能性】
【００２３】
筐体１を室内装飾品に適する形状に形成すれば、室内の空気を浄化する置物として利用できる。
【図面の簡単な説明】
【００２４】
【図１】第１実施例の斜視図である。
【図２】第１実施例の内部構造を示す背面図である。
【図３】第１実施例の回路図である。
【図４】第２実施例の斜視図である。
【図５】第２実施例の内部構造を示す背面図である。
【図６】第２実施例の回路図である。
【符号の説明】
【００２５】
１      筐体
１ａ    正面壁
２      気泡管
２ａ    透視窓
３      マイナスイオン発生モジュール
３ａ    放出口
３ｂ    高電圧発生ユニット
３ｃ    出力端子
３ｄ    放電針
３ｅ    集電板
３ｆ    基準端子
３ｇ    ダイオード
３ｈ    コンデンサ
４      スイッチ
５      パイロットランプ
５ａ    表識窓
６      光源としての電球
７      コンデンサ